(57)【要約】【課題】下階から上階に吹き抜ける吹抜け空間と上階の部屋とを仕切る場合において、採光と通風を確保できる仕切壁およびこの仕切壁を備えた建物を提供する。【解決手段】下階から上階に吹き抜ける吹抜け空間１１と上階の部屋２０とを仕切る仕切壁２１を、透光性を有する透光性壁本体３０と、この透光性壁本体３０に、開閉可能に設けられた換気窓３１とを備えた構成とする。これによって、上階の部屋２０に採光と通風を確保できる。【選択図】図３
2007023652.tif 000002
【特許請求の範囲】
【請求項１】
下階から上階に吹き抜ける吹抜け空間と上階の部屋とを仕切る仕切壁であって、
透光性を有する透光性壁本体と、
この透光性壁本体に、開閉可能に設けられた換気窓とを備えていることを特徴とする仕切壁。
【請求項２】
請求項１に記載の仕切壁において、
前記換気窓が透光性を有していることを特徴とする仕切壁。
【請求項３】
請求項１または２に記載の仕切壁において、
前記換気窓は、前記透光性壁本体に形成された穴に取り付けられる窓枠と、この窓枠に開閉可能に取り付けられた窓本体とを備えていることを特徴とする仕切壁。
【請求項４】
請求項１〜３のいずれか一項に記載の仕切壁を備えた建物において、
前記上階に設けられた仕切壁に面して下階から上階に吹き抜ける吹抜け空間が設けられており、
この吹抜け空間は、前記仕切壁と他の壁とによって囲まれた閉空間となっており、
前記他の壁の一部は建物の外壁を構成しており、この外壁に窓が設けられていることを特徴とする建物。
【請求項５】
請求項４に記載の建物において、
前記仕切壁に面する上階の部屋の外壁は、前記他の壁の一部を構成する外壁と連続しており、これら連続する外壁に窓が連続して設けられていることを特徴とする建物。
【発明の詳細な説明】
【技術分野】
【０００１】
本発明は、透光性を備えた仕切壁およびこの仕切壁を備えた建物に関する。
【背景技術】
【０００２】
吹抜け空間を備えた建物の一例として特許文献１に記載のものが知られている。この特許文献１に記載の建物は、１階建物がこの字形の平面形状を備え、２階建物がロの字形の平面形状を備え、該ロの字形の中央開口部が前記中庭と連通する吹抜け空間を構成するものである。また、コの字形の凹部の開口側の部分の上方に架け渡されるロの字形の２階建物のブリッジ領域は、屋根のないバルコニー部となっている。
【特許文献１】特開２００３−１２９６７８号公報
【発明の開示】
【発明が解決しようとする課題】
【０００３】
ところで、上記のような建物では２階において、吹抜け空間とＬＤＫとを仕切る仕切壁は透光性を有していないので、吹抜け空間に屋根のないバルコニー部から光を取り込んでも、ＬＤＫ等の居室に吹抜け空間から採光を確保できない。
また、そこで、仕切壁を透光性を有する壁とすれば、採光は確保できるが、通風は確保できない。さらに、吹抜け空間の上部には熱が溜まり易いので、夏季においては吹抜け空間の上部が非常に暑くなってしまう。
【０００４】
本発明は上記事情に鑑みてなされたもので、下階から上階に吹き抜ける吹抜け空間と上階の部屋とを仕切る場合において、採光と通風を確保できる仕切壁およびこの仕切壁を備えた建物を提供することを課題としている。
【課題を解決するための手段】
【０００５】
上記課題を解決するために、請求項１に記載の発明は、例えば図２〜図４に示すように、下階から上階に吹き抜ける吹抜け空間１１と上階の部屋２０とを仕切る仕切壁２１であって、
透光性を有する透光性壁本体３０と、この透光性壁本体３０に、開閉可能に設けられた換気窓３１とを備えていることを特徴とする。
【０００６】
ここで、透光性壁本体３０は、透明であってもよいし、透明ではないが透光性を有するすりガラス状のものであってもよい。
また、前記換気窓３１は透光性を備えたものが望ましいが、透光性はなくてもよい。また、換気窓３１の形状は四角形、円形等どのような形状でもよい。
【０００７】
請求項１に記載の発明によれば、吹抜け空間１１と上階の部屋２０とを仕切る仕切壁２１が透光性を有する透光性壁本体３０を備えているので、吹抜け空間１１に面する上階の部屋２０に採光を確保できる。
また、透光性壁本体３０に、換気窓３１が開閉可能に設けられているので、この換気窓３１を開けることによって、上階の部屋２０に通風を確保できるとともに、この換気窓３１から吹抜け空間上部に溜まった熱を排除できる。また、換気窓３１を開けることによって、上階の部屋２０から吹抜け空間１１の下部に居る人との間でコミュニケーションをとることができる。
【０００８】
請求項２に記載の発明は、請求項１に記載の仕切壁において、前記換気窓３１が透光性を有していることを特徴とする。
換気窓３１は透明であってもよいし、透明ではないが透光性を有するすりガラス状のものであってもよい。
【０００９】
請求項２に記載の発明によれば、換気窓３１が透光性を有しているので、この換気窓３１を閉じた状態でも、この換気窓３１からも採光を確保できる。つまり、透光性壁本体３０と換気窓３１との双方から採光を確保できる。
【００１０】
請求項３に記載の発明は、図４〜図８に示すように、請求項１または２に記載の仕切壁において、
前記換気窓３１は、前記透光性壁本体３０に形成された穴３０ｃに取り付けられる窓枠３２と、この窓枠３２に開閉可能に取り付けられた窓本体３３とを備えていることを特徴とする。
【００１１】
請求項３に記載の発明によれば、窓枠３２を透光性壁本体３０に形成された穴３０ｃに取り付け、この窓枠３２に窓本体３３を取り付けることによって、換気窓３１を透光性壁本体３０に容易に開閉可能に設けることができる。
【００１２】
請求項４に記載の発明は、請求項１〜３のいずれか一項に記載の仕切壁を備えた建物において、
前記上階に設けられた仕切壁２１に面して下階から上階に吹き抜ける吹抜け空間１１が設けられており、
この吹抜け空間１１は、前記仕切壁２１と他の壁（仕切壁２２、板ガラス２４、外壁１０ａ）とによって囲まれた閉空間となっており、
前記他の壁の一部は建物の外壁１０ａを構成しており、この外壁１０ａに窓２５が設けられていることを特徴とする。
【００１３】
請求項４に記載の発明によれば、吹抜け空間１１と上階の部屋２０とを仕切る仕切壁２１が透光性を有する透光性壁本体３０を備えているので、吹抜け空間１１に面する上階の部屋２０に採光を確保できる。
また、透光性壁本体３０に、換気窓３１が開閉可能に設けられているので、この換気窓３１を開けることによって、上階の部屋２０に通風を確保できるとともに、この換気窓３１から吹抜け空間上部に溜まった熱を排除できる。また、換気窓３１を開けることによって、上階の部屋２０から吹抜け空間１１の下部に居る人との間でコミュニケーションをとることができる。
さらに、他の壁の一部を構成する外壁１０ａに窓２５が設けられているので、この窓２５から吹抜け空間１１、仕切壁２１を通して上階の部屋２０に採光や通風を確保できる。また、吹抜け空間１１の下部も外壁１０ａに設けられた窓２５から採光や通風を確保できる。
【００１４】
請求項５に記載の発明は、請求項４に記載の建物において、
前記仕切壁２１に面する上階の部屋２０の外壁１０ｂは、前記他の壁（仕切壁２２、板ガラス２４、外壁１０ａ）の一部を構成する外壁１０ａと連続しており、これら連続する外壁１０ａ，１０ｂに窓２５が連続して設けられていることを特徴とする。
【００１５】
請求項５に記載の発明によれば、上階の部屋２０の外壁１０ｂと他の外壁１０ａが連続しており、れら連続する外壁１０ａ，１０ｂに窓２５が連続して設けられているので、上階の部屋２０に窓２５を通して直接、さらに、仕切壁２１を通して間接的に採光や通風を確保できる。
【発明の効果】
【００１６】
本発明によれば、吹抜け空間と上階の部屋とを仕切る仕切壁が透光性を有する透光性壁本体を備えているので、吹抜け空間に面する上階の部屋に採光を確保できる。
また、透光性壁本体に、換気窓が開閉可能に設けられているので、この換気窓を開けることによって、上階の部屋に通風を確保できるとともに、この換気窓から吹抜け空間上部に溜まった熱を排除できる。また、換気窓を開けることによって、上階の部屋から吹抜け空間の下部に居る人との間でコミュニケーションをとることができる。
【発明を実施するための最良の形態】
【００１７】
以下、図面を参照して本発明の実施の形態について説明する。
まず、本発明に係る仕切壁を説明する前に、この仕切壁を備えた建物について説明する。
図１は建物の１階の平面図、図２は建物の２階の平面図である。図１に示すように、建物の１階にはその略中央部に、食堂１と居間２とが東西に隣接して配置されており、食堂１の東側に台所３が配置されている。食堂１の北側には和室４が配置されており、居間２の北側には玄関５が配置されている。玄関５の玄関ポーチ５ａには外部収納部６が設けられている。また、台所３の北側にはユーティリティー７が配置されており、このユーティリティー７には、台所３および和室４から出入りできるようになっている。
食堂１の南側には部屋８が配置されている。この部屋８は食堂１から南側に張り出すようにして配置されており、該部屋８の南側の壁は外壁１０ａとなっている。また、この部屋８の上方は、２階の天井まで吹き抜ける吹抜け空間１１となっている。
また、台所３の南側には収納室１２が配置されており、この収納室１２の南側の壁は外壁１０ｂとなっている。外壁１０ａ，１０ｂは連続しており、これら連続する外壁１０ａ，１０ｂには窓１３が４つ連続して設けられている。
【００１８】
建物の２階には図２に示すように、その略中央部に洋間１５と洋間１６とが東西に隣接して配置されており、洋間１５の北側には洋間１７が配置されている。また、洋間１６の北側には洗面室、浴室、トイレ等からなる水回り系の部屋１８が配置されている。この水回り系の部屋１８と洋間１７との間には１階と２階との間を繋ぐ階段１９が配置されている。
【００１９】
前記洋間１５の南側には書斎となる部屋２０が配置されている。この部屋２０は洋間１５に比して小さい部屋であり、該洋間１５から行き来できるようになっている。また、部屋２０の西側には仕切壁２１が設けられており、この仕切壁２１の西側は、１階の部屋８の上方にある吹抜け空間１１となっている。したがって、この仕切壁２１は１階（下階）から２階（上階）に吹き抜ける吹抜け空間１１と２階（上階）の部屋２０とを仕切る仕切壁となっている。
また、前記吹抜け空間１１と２階の洋間１５とは仕切壁２２によって仕切られている。この仕切壁２２は大きな板ガラスによって構成されている。
また、吹抜け空間１１と２階のバルコニー２３とを仕切る壁には、この壁一面に拡がる大きな板ガラス２４が嵌めこまれている。また、吹抜け空間１１の南側にある壁は外壁１０ａとなっている。したがって、吹抜け空間１１は、前記仕切壁２１，２２、板ガラス２４が嵌め込まれた壁、外壁１０ａによって囲まれた閉空間となっている。
【００２０】
また、前記２階の部屋２０の南側は外壁１０ｂとなっており、この外壁１０ｂと前記外壁１０ａは連続して設けられている。これら連続する外壁１０ａ，１０ｂには４つの窓２５・・・が横方向に連続して設けられている。
【００２１】
前記仕切壁２１は、図３および図４に示すように、透光性を有する透光性壁本体３０と、この透光性壁本体３０に、開閉可能に設けられた換気窓３１とを備えている。
透光性壁本体３０は、長方形板状の板ガラス３０ａと、この板ガラス３０ａの四周を保持する枠材３０ｂとを備えており、板ガラス３０ａの上下方向中央部には、２つの丸穴３０ｃ，３０ｃが左右に離間して形成されている。なお、板ガラス３０ａは透明となっている。また、板ガラス３０ａは２枚の板ガラスを横方向に接合することによって構成されている。
【００２２】
換気窓３１は窓枠３２と、この窓枠３２に開閉可能に取り付けられた窓本体３３とを備えていている。
窓枠３２は図５〜図８に示すように、３つのリング状部材３４，３５，３６を備えている。第１リング状部材３４は、図６、図７、図８に示すように、その外周部に２つの平面３４ａ，３４ｂが形成されている。平面３４ａと平面３４ｂとは第１リング部材３４の軸方向に所定の段差があり、平面３４ａと平面３４ｂとの間には周面３４ｃが第１リング部材３４の周方向に延在するようにして形成されている。また、第１リング部材３４の内周側には周面３４ｄが第１リング部材３４の周方向に延在するようにして形成されている。さらに、前記平面３４ｂにはねじ穴３４ｅが第１リング部材３４の周方向に所定間隔で複数形成されている。
第２リング部材３５は、図５、図７、図８に示すように円板状に形成されており、その端面には皿ネジを通す穴３５ａとねじ穴３５ｂとが第２リング部材３５の周方向に所定間隔でかつ第２リング部材３５の厚さ方向に貫通するようにして該複数形成されている。穴３５ａとねじ穴３５ｂとは第２リング部材の周方向において交互に形成されている。
【００２３】
前記第１リング部材３４と第２リング部材３５とは軸方向に以下のようにして重ね合わせられている。すなわち、第１リング部材３４の平面に、第２リング部材３５の端面を当接するとともに、第１リング部材３４のねじ穴３４ｅに第２リング部材の穴３５ａを合わせたうえで、穴３５ａに皿ねじ３７を挿通してねじ穴３４ｅにねじ込むことによって、第１リング部材３４と第２リング部材３５とが重ね合わされて連結されている。
このようにして第１リング部材３４と第２リング部材３５とを連結する際に、これらが以下のようにして仕切壁２１の透光性壁本体３０に取り付けられている。
すなわちまず、透光性壁本体３０に形成された丸穴３０ｃの縁部には、ゴム製のパッキン３８が取り付けられている。そして、第１リング部材３４の周面３４ｃを、パッキン３８を挟んで丸穴３１ｃの内周面に当接するとともに、第１リング部材３４の平面３４ａと第２リング部材３５の端面とによって丸穴３１ｃの縁部をパッキン３８を挟んで挟み込んで、前記皿ねじ３７を締め付けることによって、第１リング部材３４と第２リング部材３５とが透光性壁本体３０に取り付けられている。
【００２４】
さらに、第２リング部材３５には第３リング部材３６が重ね合わされて連結されている。すなわち、第３リング部材３６は円板状に形成されており、その内周側端面には、当接部３６ａが環状に形成されている。また、第３リング部材３６には、穴３６ｂが第３リング部材３６の周方向に所定間隔でかつ第３リング部材３６の厚さ方向に貫通して形成されている。
そして、この第３リング部材３６は、その穴３６ｂを第２リング部材３５のねじ穴３５ｂに合わすようにして、該第２リング部材３５に重ね合わされるとともに、丸ボルト３８を穴３６ｂに挿通してねじ穴３５ｂにねじ込むことによって、第２リング部材３５に連結されている。また、第３リング部材３６の内周側の端面は前記第１リング部材３４の環状の凸部３４ｆに当接され、第１リング部材３４と第３リング部材３６との間の隙間にはシリコン製のコーキング剤３９が充填されている。
３つのリング状部材３４，３５，３６によって構成された窓枠３２は以上のようにして透光性壁本体３０の丸穴３０ｃの縁部に取り付けられている。
【００２５】
このような窓枠３２には、窓本体３３が開閉可能に取り付けられている。すなわち、窓本体３３はリング状の枠体４０とこの枠体４０の内部に保持された板ガラス４１とを備えている。
枠体４０の外周部端面には、環状の凹所が形成されており、この凹所に環状のパッキン４２がその一部を凹所から突出させて嵌め込まれている。また、枠体４０の内周面には環状の凹所が形成されており、この凹所には前記板ガラス４１が嵌め込まれている。
枠体４０と前記窓枠３２の第３リング部材３６とは、蝶番４３（図４参照）によって連結されており、これによって、窓本体３３は窓枠３２に横方向に開閉可能に取り付けられている。そして、窓本体３３を閉じた際に、窓本体３３のパッキン４２が窓枠３２の当接部３６ａに圧接することによって、窓本体３３が気密に閉じられている。
【００２６】
本実施の形態によれば、吹抜け空間１１と２階の部屋２０とを仕切る仕切壁２２が透光性を有する透光性壁本体３０を備えているので、吹抜け空間１１に面する２階の部屋２０に採光を確保できる。
また、透光性壁本体３０に、換気窓３１が開閉可能に設けられているので、この換気窓３１を開けることによって、２階の部屋２０に通風を確保できるとともに、この換気窓３１から吹抜け空間上部に溜まった熱を排除できる。また、換気窓３１を開けることによって、２階の部屋２０から吹抜け空間１１の下部に居る人との間でコミュニケーションをとることができる。さらに、透光性壁本体３０が透明であるので、２階の部屋２０から吹抜け空間１１の下部を視認することができ、そこに居る人との間でコミュニケーションをとるのに役立つ。
【００２７】
また、換気窓３１が透光性を有しているので、この換気窓３１を閉じた状態でも、この換気窓３１からも採光を確保できる。つまり、透光性壁本体３０と換気窓３１との双方から採光を確保できる。
また、換気窓３１は、透光性壁本体３０に形成された穴３１ｃに取り付けられる窓枠３２と、この窓枠３２に開閉可能に取り付けられた窓本体３３とを備えているので、換気窓３１を透光性壁本体３０に容易に開閉可能に設けることができる。
【００２８】
さらに、吹抜け空間１１は、仕切壁２１と他の壁（仕切壁２２、板ガラス２４、外壁１０ａ）とによって囲まれた閉空間となっており、外壁１０ａに窓２５・・・が設けられているので、この窓２５・・・から吹抜け空間１１、仕切壁２１を通して２階の部屋２０に採光や通風を確保できる。また、吹抜け空間１１の下部も外壁１０ａに設けられた窓２５から採光や通風を確保できる。
加えて、仕切壁２１に面する２階の部屋１０の外壁１０ｂは、前記外壁１０ａと連続しており、これら連続する外壁１０ａ，１０ｂに窓２５・・・が連続して設けられているので、２階の部屋１０に窓２５・・・を通して直接、さらに、仕切壁２１を通して間接的に採光や通風を確保できる。
また、２階の洋間１５と吹抜け空間１１とが板ガラス２２によって仕切られているので、前記窓２５・・・から吹抜け空間１１、板ガラス２２を通して洋間１５に採光を確保できる。
さらに、吹抜け空間１１は板ガラス２２，２４、窓２５・・・を備えた外壁、透光性を有する仕切壁２１によって囲まれているので、洋間２２、部屋２０、バルコニー２３から吹抜け空間１１を通した視認性、採光性が優れたものとなる。
【図面の簡単な説明】
【００２９】
【図１】本発明に係る建物の１階の平面図である。
【図２】本発明に係る建物の２階の平面図である。
【図３】本発明に係る仕切壁を示すもので、仕切壁の平断面図である。
【図４】同、仕切壁の正面図である。
【図５】本発明に係る仕切壁に取り付けられる換気窓の窓枠の第２リング部材を示すもので、（ａ）は正面図、（ｂ）は断面図である。
【図６】本発明に係る仕切壁に取り付けられる換気窓の窓枠の第１リング部材を示すもので、（ａ）は正面図、（ｂ）は断面図である。
【図７】本発明に係る換気窓の要部構成を示す断面図である。
【図８】本発明に係る換気窓の要部構成を示す分解して示す断面図である。
【符号の説明】
【００３０】
１０ａ，１０ｂ  外壁
１１  吹抜け空間
２０  上階の部屋
２１  仕切壁
２５  窓
３０  透光性壁本体
３１  換気窓
３２  窓枠
３３  窓本体
【図１】
2007023652.tif 000003
【図２】
2007023652.tif 000004
【図３】
2007023652.tif 000005
【図４】
2007023652.tif 000006
【図５】
2007023652.tif 000007
【図６】
2007023652.tif 000008
【図７】
2007023652.tif 000009
【図８】
2007023652.tif 000010